(57)【要約】【課題】本体に装着される記憶媒体に記憶された内容を確認することを可能となし、操作性の向上を図る。【解決手段】本体１０１と、この本体１０１に対して開閉可能に設けられる蓋部１０３と、本体１０１の側面に設けられ、ＩＣカード６９を挿脱する挿脱口１０５と、本体と対向する蓋部の裏面に設けられ、ＩＣカード６９に記憶される情報が表示される表示部３２と、蓋部１０３の閉状態を検出するスイッチ３４と、スイッチ３４により蓋部１０３の閉状態を検出した場合、表示部３２の表示を停止させる制御部６１とを備える。【選択図】  図３
2004326829.tif 000002
【特許請求の範囲】
【請求項１】
本体と、
上記本体に対して開閉可能に設けられる蓋部と、
上記本体の側面に設けられ、記憶媒体を挿脱する挿脱口と、
上記本体と対向する上記蓋部の裏面に設けられ、上記記憶媒体に記憶される情報が表示される表示部と、
上記蓋部の閉状態を検出するスイッチと、
上記スイッチにより上記蓋部の閉状態を検出した場合、上記表示部の表示を停止させる制御手段と
を備える記録媒体装置。
【発明の詳細な説明】
【技術分野】
【０００１】
本発明は、光ディスク等の記録媒体とともに、他の記憶媒体が装着される記録媒体再生装置に関し、特に、記憶媒体に記憶される情報が表示される表示部を備えた記録媒体再生装置に関する。
【背景技術】
【０００２】
コンパクトディスク（以下ＣＤという）にオーディオデータの他に、ビデオデータ（自然画、ＲＧＢグラフィックス、カラールックアップテーブルグラフィックス、アニメーション等）、コンピュータデータ、アプリケーションプログラム（以下単にプログラムという）等のデータを記録し、利用者がこれらのデータをインタラクティブ（対話的）に利用できるシステム（以下ＣＤ−Ｉシステムという）が提案されている。このＣＤ−Ｉシステムは、音声、文字、画像の再生機能、プログラムの実行機能を持つことから、オーディオ及びビデオデータを主として取り扱うＡＶ機器、文字データを取り扱う電子出版、プログラムの実行を主として取り扱う教育、娯楽（ゲーム）等に用いることができ、新しい形のメディアシステムとして期待されている。
【０００３】
ＣＤ−Ｉシステムは、オーディオデータ、ビデオデータ等が記録された光ディスク（以下ＣＤ−Ｉディスクという）と、ＣＤ−Ｉディスクを再生するプレーヤ（以下ＣＤ−Ｉプレーヤという）とから構成されている。そして、ＣＤ−Ｉシステムでは、互換性を保ち、家庭用として広く普及できるようにするために、種々の仕様が定められている。
【０００４】
例えば、ＣＤ−Ｉディスクでは、種々のデータに対する信頼性に応じて複数の記録フォーマットが準備されている。それほど高い信頼性が要求されないオーディオデータ、ビデオデータは、ＣＤ−Ｉのデータフォーマットにおける所謂フォーム２に基づいて記録され、コンピュータデータ、プログラム等の高い信頼性が要求されるデータは、ＣＤ−Ｉのデータフォーマットにおける所謂フォーム１に基づいて記録され、またデータ再生時にエラー検出／訂正が施されるようにされている。
【０００５】
また、ＣＤ−Ｉシステムでは、オーディオデータを４種類の音質レベルで記録し再生することができ、オーディオデータは、音質レベルに応じたデータ圧縮（符号）処理が施されてＣＤ−Ｉディスクに記録される。すなわち、従来のコンパクトディスクにおける１６ビットＰＣＭによるオーディオデータ（以下ＰＣＭオーディオデータという）、８ビットあるいは４ビットＡＤＰＣＭ（Adaptive Differential Pulse Code Modulation ）による所謂Ａレベル、Ｂレベル、又はＣレベルのオーディオデータ（以下ＡＤＰＣＭオーディオデータという）が記録される。
【０００６】
また、ＣＤ−Ｉシステムでは、ビデオデータに関しては、自然画（例えばカラー写真）、ＲＧＢグラフィックス、カラールックアップテーブル（以下ＣＬＵＴという）グラフィックス、アニメーションの４種類の画質を用いることができ、ビデオデータは、画質に応じて各種のデータ圧縮（符号）処理が施されてＣＤ−Ｉディスクに記録される。すなわち、自然画の画質では、１画素当たり８ビットで符号化されたビデオデータがノンインターレースのＤＹＵＶ符号処理を施されて記録され、ＲＧＢグラフィックスの画質では、各画素の三原色（ＲＧＢ）信号がそれぞれ５ビットで符号化されて記録され、ＣＬＵＴグラフィックスの画質では、各画素に８ビットが割り当てられ、２５６色が同時に表示できようにビデオデータが記録され、アニメーションの画質では、ＣＬＵＴグラフィックスのビデオデータに所謂ランレングス符号（Run Length Coiding）によるデータ圧縮処理を施して得られるビデオデータが記録される。
【０００７】
また、例えば、ＣＤ−Ｉプレーヤの動作を制御するためのマイクロコンピュータ（以下、ＣＰＵという。）として、６８０００系（モトローラ社の開発による１６ビットＣＰＵ）のものを用い、オペレーディングシステム（以下ＯＳという）として、ＣＤ−Ｉディスク上のプログラムの互換性、実行の効率等を考慮して、既存のＯＳ−９（マイクロウェア社の開発によるＯＳ）にグラフィックス／ビジュアル、ポインタ、オーディオ処理等のＩ／Ｏ（入出力）マネージャ、ドライバ等を追加した所謂ＣＤ−ＲＴＯＳ（Compact Disc Real-Time Operating System)を用いるようにしている。また、入力装置としては、ピクセル単位にアクセス可能なＸ−Ｙデバイスとトリガーボタン（実行／停止）とを有するポインティングデバイスを用いている。さらに、従来の音楽のみがＰＣＭオーディオデータとして記録されたＣＤを再生することができるように定められている。
【０００８】
なお、ＰＣＭオーディオデータのみが記録された光ディスクは、ＣＤ−ＤＡディスクと呼ばれ、また、ＰＣＭオーディオデータ以外のＡＤＰＣＭオーディオデータ、ビデオデータ及びプログラム等が記録された光ディスクは、ＣＤ−Ｉディスクと呼ばれ、さらに、ＰＣＭオーディオデータ、ＡＤＰＣＭオーディオデータ、ビデオデータ及びプログラム等が記録された光ディスクは、ＣＤ−Ｉ／ＣＤ−ＤＡディスクと呼ばれる。
【０００９】
また、ＣＤ−Ｉディスク及びＣＤ−Ｉ／ＣＤ−ＤＡディスクでは、外径寸法、中心孔寸法、厚さなどの機械的寸法、屈折率、反射率などの光パラメータ、ディスク回転方向、記録線密度、トラック形状、トラックピッチなどの記録パラーメータ、使用環境などが全て通常のコンパクトディスク、すなわちＣＤ−ＤＡディスクと同様とされている。
【００１０】
そして、ＣＤ−Ｉディスク及びＣＤ−Ｉ／ＣＤ−ＤＡディスクとＣＤ−ＤＡディスクの判別は、所謂リードイン領域に記録されているＴＯＣ（Table of Contens）情報によって行うことができるようになされている。
【００１１】
具体的には、ＣＤ−Ｉディスク及びＣＤ−Ｉ／ＣＤ−ＤＡディスクではＰＯＩＮＴ＝Ａ０のＰＳＥＣ情報が〔１０〕とされるのに対し、ＣＤ−ＤＡディスクではＰＯＩＮＴ＝Ａ０のＰＳＥＣ情報が〔００〕とされるので、ＰＯＩＮＴ＝Ａ０のＰＳＥＣ情報によりＣＤ−Ｉディスク及びＣＤ−Ｉ／ＣＤ−ＤＡディスクとＣＤ−ＤＡディスクの判別を行うことができる。また、ＣＤ−ＩディスクのＰＯＩＮＴ＝Ａ０，Ａ１，Ａ２の各コンロールフィールドが全て〔０１Ｘ０〕（Ｘは１又は０）とされるのに対し、ＣＤ−Ｉ／ＣＤ−ＤＡディスクではＰＯＩＮＴ＝Ａ０のコンロールフィールドが〔０１Ｘ０〕とされ、ＰＯＩＮＴ＝Ａ１，Ａ２の各コンロールフィールドが〔００Ｘ０〕とされるので、ＰＯＩＮＴ＝Ａ１，Ａ２のコンロールフィールドの情報によりＣＤ−ＩディスクとＣＤ−Ｉ／ＣＤ−ＤＡディスクの判別を行うことができる。
【００１２】
このように種々の仕様が定められたＣＤ−Ｉシステムで利用者が、プログラムを実行する、例えば所望する音楽や画像を再生し、あるいは所望のアプリケーションプログラムを実行するときは、以下に説明する動作が行われる。
【００１３】
ＣＤ−Ｉプレーヤの電源を投入し、光ディスクを挿入すると、上述のＴＯＣ情報が再生されて、装着された光ディスクの種類の判別が行われ、その種類に応じた動作が行われる。例えばＣＤ−Ｉディスクを装着すると、先ずＣＤ−Ｉディスクに記録されているＴＯＣ情報が再生され、装着された光ディスクがＣＤ−Ｉディスクと判断されると共に、ＣＤ−Ｉディスクに記録されている例えば音楽の番号、アプリケーションプログラムのタイトル、操作内容等が例えば内蔵の表示部や接続されたテレビジョン受像機に表示される。次に、利用者がＸ−Ｙデバイスとトリガーボタンを用いて例えば音楽を再生させる操作を行うと、ＣＤ−Ｉディスクの再生が開始し、音楽が記録されているトラックからオーディオデータが順次再生される。この再生されたオーディオデータは、所謂ＡＤＰＣＭ（AdaptiveDifferential Pulse Code Modulation ）復号処理等が施された後、ディジタル／アナログ変換器でオーディオ信号に変換される。そして、このオーディオ信号は例えばヘッドホーンに出力され、音楽が再生される。
【００１４】
また、利用者がＸ−Ｙデバイスとトリガーボタンを用いてアプリケーションプログラムを実行させる操作を行うと、ＣＤ−Ｉディスクの再生が開始し、アプリケーションプログラムが記録されているトラックからアプリケーションプログラムが再生される。この再生されたアプリケーションプログラムは、例えば内蔵している所謂ＲＡＭに一旦記憶される。そして、ＲＡＭに記憶されたアプリケーションプログラムの実行が開始される。このとき、アプリケーションプログラム実行に必要はデータ、例えばオーディオデータやビデオデータが逐次ＣＤ−Ｉディスクから読み出された後、これらのオーディオデータ、ビデオデータからオーディオ信号、ビデオ信号が再生され、表示部やテレビジョン受像機にアプリケーションプログラム実行内容が表示さる。また、ヘッドホーンでアプリケーションプログラム実行による音が再生される。具体的には、ゲームプログラムを実行すると、表示部やテレビジョン受像機の画面に例えばアニメーションが表示されると共に、ゲームの効果音がヘッドホーンで再生される。
【発明の開示】
【発明が解決しようとする課題】
【００１５】
ところで、上述したようなＣＤ−Ｉディスクを再生する再生装置にあっては、ＣＤ−Ｉディスクに記録されたプログラムを実行したときに得られる実行途中のデータや、プログラムを実行したときに得られる結果を記憶するためのＩＣカード等の記憶媒体を装着可能としたものが提案されている。
【００１６】
この種の再生装置において、装着される記憶媒体に記憶される情報を適宜表示することにより、再生されるプログラムを各種の態様で実行し、先に実行したプログラムを援用した再生を行うなど、多様な再生が実現できるようにすることが望まれている。
【００１７】
そこで、本発明は、更に装着される記憶媒体の内容を表示する表示部を設けることにより、この記憶媒体に記憶された内容を確認することを可能となし、操作性の向上を実現できる記録媒体再生装置を提供しようとするものである。
【課題を解決するための手段】
【００１８】
上述のような目的を達成するため、本発明に係る記録媒体再生装置は、本体と、この本体に対して開閉可能に設けられる蓋部と、本体の側面に設けられ、記憶媒体を挿脱する挿脱口と、本体と対向する蓋部の裏面に設けられ、記憶媒体に記憶される情報が表示される表示部と、蓋部の閉状態を検出するスイッチと、スイッチにより蓋部の閉状態を検出した場合、表示部の表示を停止させる制御手段とを備える。
【発明の効果】
【００１９】
本発明に係る記録媒体再生装置は、本体に開閉可能に設けられた蓋体に表示部を設け、蓋体が開状態となったとき、表示部の表示が可能とされるので、装置の動作中のみ表示部の表示を実行することができる。したがって、再生動作中に、確実に必要な表示を表示部に表示することができる。
【発明を実施するための最良の形態】
【００２０】
以下、本発明に係る記録媒体再生装置の実施例を図面を参照しながら説明する。
【００２１】
図１は、本発明を携帯用のＣＤ−Ｉプレーヤ１に適用した例を示すものであって、このＣＤ−Ｉプレーヤ１は、図１に示すように、ＣＤ−ＩディスクやＣＤ−ＤＡディスクなどの光ディスク２からオーディオデータ、ビデオデータ、アプリケーションプログラム（以下単にプログラムという）等のデータを再生するディスクドライブ部１０と、ビデオデータからビデオ信号を生成する映像信号処理部２０と、該ビデオ信号に基づいて、例えば現在再生している情報のタイトル、操作内容、プログラム実行内容等を表示する液晶表示部３０と、ビデオ信号を例えば所謂ＮＴＳＣ方式等に準拠したビデオ信号に変換する映像信号インターフェイス部４０と、オーディオデータからオーディオ信号を再生する音声信号処理部５０と、プログラムを実行すると共に、ディスクドライブ部１０、映像信号処理部２０、音声信号処理部５０等を制御する制御部６０と、利用者が操作する操作部７０とから構成される。また、ディスクドライブ部１０、映像信号処理部２０、音声信号処理部５０、制御部６０は、共通のバス５で互いに接続されている。
【００２２】
ディスクドライブ部１０は、上述の図１に示すように、光ディスク２を線速度一定（ＣＬＶ）で回転するスピンドルモータ１１と、光ディスク２にレーザビームを照射し、その反射光の強弱を検出して再生ＲＦ信号を再生するピックアップ１２と、スピンドルモータ１１及びピックアップ１２を制御すると共に、再生ＲＦ信号からオーディオデータ等のデータを復調するコンパクトディスクドライブ（以下ＣＤＤという）１３と、該ＣＤＤ１３で復調された復調データのエラー検出／訂正を行うコンパクトディスクエラーコレクション回路（以下ＣＤＣという）１４と、ＣＤＤ１３やＣＤＣ１４等を制御するサブコンピュータ（以下ＳＣＰＵという）１５とから構成される。
【００２３】
スピンドルモータ１１は、光ディスク２を線速度一定で回転駆動する。ＣＤＤ１３は、所謂フォーカスサーボ回路、トラッキングサーボ回路、スレッドサーボ回路等を有し、ピックアップ１２の所謂２軸デバイスにサーボ制御をかけると共に、ピックアップ１２を径方向に移動するリニアモータにより構成されたスレッドモータを制御し、ピックアップ１２が目的トラックをアクセスできるようにされている。このＣＤＤ１３は、例えば等化器、波形整形器、クロック再生回路、所謂ＥＦＭ（Eight toFourteenModulation）復調器等を有し、再生ＲＦ信号からオーディオデータ等のデータを再生する。一方、ＣＤＣ１４は、エラー訂正が必要なコンピュータデータ等にエラー訂正を施し、制御部６０の制御の下に所謂ＡＤＰＣＭ（Adaptive Differential Pulse Code Modulation ）によりデータ圧縮が施されたＡＤＰＣＭオーディオデータ、ビデオデータ、コンピュータデータ、プログラムを上記バス５に出力すると共に、データ圧縮が施されていない１６ビットのＰＣＭオーディオデータを上記音声信号処理部５０に直接出力するようになっている。さらに、ＳＣＰＵ１５には、操作部７０として備えられたポインティングデバイス７４の機能表示を行う発光ダイオード群７７が接続されており、このＳＣＰＵ１５は、発光ダイオード群７７の表示切り換え制御を行うようになっている。
【００２４】
映像信号処理部２０は、上述の図１に示すように、画面の重ね合わせ、画面の切換等を行うためにビデオデータ処理回路を２系統有し、ＣＤＣ１４等からバス５を介して例えば所謂ＤＭＡ（Direct Memory Access）により転送されてくるビデオデータを一旦記憶するＲＡＭ２１ａ、２１ｂと、該ＲＡＭ２１ａ、２１ｂに記憶されているビデオデータにＤＹＵＶ復号処理、ランレングス復号処理等を施してビデオデータを再生するビデオコントローラ（以下ＶＳＣという）２２ａ、２２ｂと、該ＶＳＣ２２ａ、２２ｂからの各ビデオデータを重ね合わせる処理や切り換え処理等を行うと共に、ビデオデータをアナログ信号に変換するビデオシンセサイザ（以下ＶＳＲという）２３とから構成される。
【００２５】
液晶表示部３０は、上述の図１に示すように、ＶＳＲ２３からのアナログ信号に変換されたビデオ信号に基づいて液晶表示パネル（以下ＬＣＤという）３２を駆動するＬＣＤインターフェイス回路（以下ＬＣＤＩＮＦという）３１と、ＬＣＤ３２とを備えている。また、ＬＣＤＩＮＦ３１には、ＬＣＤ３２のコントラストを調節するためのボリューム３３と、節電のために該ＬＣＤ３２の表示を停止するスイッチ３４が設けられている。
【００２６】
映像信号インターフェイス部４０は、上述の図１に示すように、ＶＳＲ２３からのビデオ信号を、例えばＮＴＳＣ方式や所謂ＰＡＬ方式等に準拠したビデオ信号に変換するインターフェイス回路（以下ＩＮＦという）４１と、該ＩＮＦ４１と逆の変換を行うＩＮＦ４２と、ＶＳＣ２２ａ、２２ｂ及びＶＳＲ２３に各方式に対応した周波数のクロックを供給する水晶発振器４３とから構成される。そして、ＩＮＦ４１で所定の方式に変換されたビデオ信号がビデオ出力端子４５を介して例えばテレビジョン受像機（図示せず）に出力されるようになっている。また、例えばビデオテープレコーダ（図示せず）からのビデオ信号がビデオ入力端子４６を介してＩＮＦ４２に供給されるようになっている。なお、水晶発振器４３の発振周波数は、ＮＴＳＣ方式の場合は、例えば３０．２０２９７９ＭHzであり、ＰＡＬ方式の場合は、例えば３０．００ＭHzである。
【００２７】
音声信号処理部５０は、上述の図１に示すように、ＣＤＣ１４等からバス５を介して転送されてくるＡＤＰＣＭオーディオデータを復号化するＡＤＰＣＭデコーダ５１と、該ＡＤＰＣＭデコーダ５１からの復号化されたＰＣＭオーディオデータあるいはＣＤＣ１４から直接送られてくるＰＣＭオーディオデータをアナログ信号に変換するディジタル／アナログ（以下Ｄ／Ａという）変換器５２と、ローパスフィルタ（以下ＬＰＦという）５３と、該アナログ信号に変換されたオーディオ信号を増幅するアンプ５４とから構成される。また、ＡＤＰＣＭデコーダ５１には、ＡＤＰＣＭ復号化のための例えば１６．９ＭHzの水晶発振器５５が設けられている。また、アンプ５４には音量を調節するためのボリューム５６が設けられている。そして、このボリューム５６で調節されたオーディオ信号がオーディオ出力端子５７を介して例えばヘッドホーンに（図示せず）に出力されるようになっている。
【００２８】
制御部６０は、上述の図１に示すように、６８０００系のマイクロコンピュータ（以下ＭＣＰＵという）６１と、該ＭＣＰＵ６１からのアドレスをデコードすると共に、ＤＭＡの制御等を行うマスターコントローラ（以下ＭＣという）６２と、所謂ＣＤ−ＲＴＯＳ（Compact Disc Real-Time Operating System ）等が記憶されているＲＯＭ６３と、プログラム実行時のデータ等が一旦記憶される不揮発性ＲＡＭ６４と、時間を管理する時計回路６５と、データ入出力端子６８を介して例えばホストコンピュータとデータやコマンド等を送受するための所謂ＳＣＳＩ（Small Computor System Interface ）６６と、データを保存するための着脱自在な不揮発性メモリ（以下所謂ＩＣカードという）６９とから構成される。また、ＭＣＰＵ６１には、該ＭＣＰＵ６１を動作させるための水晶発振器６７が設けられている。
【００２９】
操作部７０は、利用者が操作するピクセル単位にアクセス可能なＸ−Ｙデバイス７１とトリガーボタン７２、７３とを有するポインティングデバイス７４と、例えば電源スイッチを切り忘れて後述する上蓋を閉めたときに、節電するためのドアスイッチ７５とから構成される。
【００３０】
ここで、以上のような回路構成を有するＣＤ−Ｉプレーヤ１の外観について簡単に説明する。なお、図１に示す回路部品と同じ部品には同じ指示符号を付して説明する。
【００３１】
ＣＤ−Ｉプレーヤ１は、上述したように手軽に携帯できるように、全体の大きさを、例えば幅１４０ｍｍ、長さ１７０ｍｍ、高さ６０ｍｍとしている。そして、このＣＤ−Ｉプレーヤ１は、図２及び図３に示すように、本体部１０１と、一側縁が該本体部１０１に開閉自在に取り付けられた中蓋１０２と、一側縁が本体部１０１の一側縁に開閉自在に取り付けられた外蓋１０３とから構成される。
【００３２】
本体部１０１の筐体内には、上述したディスクドライブ部１０、映像信号処理部２０、映像信号インターフェイス部４０、音声信号処理部５０、制御部６０、利用者が操作する操作部７０等が収められている。そして、上述の図２及び図３に示すように、本体部１０１の前面操作パネル１０１Ａに、オーディオ出力端子５７、ボリューム５６を操作する音量調整ダイヤル１１１、電源スイッチ８２が配設されている。また、本体部１０１の後面パネル１０１Ｂに、ビデオ出力端子４５、ビデオ入力端子４６、データ入出力端子６８が配設されている。また、本体部１０１の前側上縁には、中蓋１０２を開くためのオープンボタン１１２が配設されている。
【００３３】
さらに、本体部１０１の側面パネル１０１Ｃには、ＩＣカード６９を装着するためのＩＣカード挿脱口１０５と、このＩＣカード６９の脱着操作を行う脱着操作ボタン１０６が配設されている。また、ＩＣカード挿脱口１０５の内部には防塵のための蓋が蝶着されており、ＩＣカード６９をＩＣカード挿脱口１０５から挿入すると、蓋が押されて開き、ＩＣカード６９を装着できるようになっている。一方、脱着操作ボタン１０６を押すと、ＩＣカード６９が脱着されると共に、蓋が閉まるようになっている。
【００３４】
中蓋１０２は、上述の図３に示すように、オープンボタン１１２を押すと開くようになっており、光ディスク２の装着／取り出しを行うことができるようになっている。また、この中蓋１０２には、窓部１０４が設けられ、該窓部１０４には、透明部材が配設されている。そして、この窓部１０４を介して、光ディスク２の有無や回転状態等を確認することができるようになっている。また、この中蓋１０２の前縁には、ポインティングデバイス７４のＸ−Ｙデバイス７１とトリガーボタン７２、７３が配設され、該Ｘ−Ｙデバイス７１の中心から夫々偏移した部分を押すと、Ｘ方向及びＹ方向の位置を指定できるようになっている。
【００３５】
外蓋１０３は、手でもって９０度以上開くことができ、所定の開閉角度Θで固定できるようになっている。また、この外蓋１０３の裏面１０３Ａには、ＬＣＤ３２、ボリューム３３を操作するコントラストダイヤル１１３、スイッチ３４が配設されている。そして、この外蓋１０３を開くとＬＣＤ３２が外部に臨まされ、ＬＣＤ３２の画面を見ることができるようになっている。
【００３６】
次に、以上のように構成されるＣＤ−Ｉプレーヤ１の動作について、図４に示すフローチャートを参照して説明する。
【００３７】
ＣＤ−Ｉプレーヤ１の電源スイッチ８２が投入されると、先ず、第１ステップＳ１で光ディスク２が装着されているか否かの判定処理を行う。この第１ステップＳ１における判定結果が「ＮＯ」、すなわち未装着の場合には、第２ステップＳ２に移って光ディスクの未装着を示す表示制御を行って、第１ステップＳ１に戻る動作を繰り返し、光ディスク２が装着されるのを待機する。
【００３８】
第２ステップＳ２における表示制御では、図５に示すように、ＬＣＤ３２の表示領域３２ａに光ディスクの未装着を示す表示がなされると共に、表示領域３２ｂに例えばカレンダーや時刻が表示される。
【００３９】
そして、第１ステップＳ１における判定結果が「ＹＥＳ」、すなわち光ディスク２が装着されると、第３スッテプＳ３に移って、光ディスク２の所謂ＴＯＣ（Table of Contens）領域（あるいはリードイン領域ともいう）をアクセスする。すなわち、ＣＤ−Ｉプレーヤ１に光ディスク２が装着されると、この光ディスク２の再生が開始される。そして、光ディスク２のＴＯＣ領域に記録されているＴＯＣ情報がピックアップ１２〜ＣＤＣ１４により再生され、このＴＯＣ情報がＭＣＰＵ６１に転送される。
【００４０】
次の第４ステップＳ４では、装着された光ディスク２がＣＤ−ＤＡディスクであるか否かの判定処理を行う。この第４ステップＳ４の判定処理では、ＴＯＣ領域におけるＰＯＩＮＴ＝Ａ０のＰＳＥＣ情報が〔００〕である場合に、装着された光ディスク２がＣＤ−ＤＡディスクであると判定する。そして、この第４ステップＳ４における結果が「ＹＥＳ」、すなわち装着された光ディスク２がＣＤ−ＤＡディスクである場合には、第５ステップＳ５に移って、ＣＤ−ＤＡディスク装着時の表示制御を行う。具体的には、ＭＣＰＵ６１により、図６に示すように、ＬＣＤ３２の表示領域３２ｂにＣＤ−ＤＡディスクの装着を示す表示を行い、装着された光ディスク２がＣＤ−ＤＡディスクであることを表示する。
【００４１】
また、この第５ステップＳ５では、ＳＣＰＵ１５によりポインティングデバイス７４をモード指定スイッチとして機能させる制御がなされる。具体的には、ポインティングデバイス７４は、ＳＣＰＵ１５により、Ｘ−Ｙデバイス７１が再生方向の指定操作キーとして定義されると共に、トリガーボタン７２、７３がプレーキーと停止キーとして定義され、図７に示すように、その機能を示す機能表示パターン７１ｂ，７２ｂ，７３ｂを表示するように発光ダイオード群７７が制御される。これにより、利用者は、ポインティングデバイス７４に設けた発光ダイオード群７７による表示内容に基づいて、Ｘ−Ｙデバイス７１、トリガボタン７２、７３の操作を簡単に且つ確実に行うことができる。
【００４２】
そして、次の第６ステップＳ６では、Ｘ−Ｙデバイス７１、トリガボタン７２、７３の操作を受け付けて、その操作に従って、ＣＤ−ＤＡディスクの例えば再生動作を行う。これにより、ディスクドライブ部１０により光ディスク２から再生されたＰＣＭオーディオデータは、Ｄ／Ａ変換器５２、ＬＰＦ５３において、オーディオ信号に変換され、アンプ５４、オーディオ出力端子５７を介してヘッドホーンに出力される。
【００４３】
また、第４ステップＳ４における判定結果が「ＮＯ」、すなわち装着された光ディスク２がＣＤ−ＤＡディスクでなかった場合には、第７ステップＳ７に移って、光ディスク２がＣＤ−Ｉディスクであるか否かの判定処理を行う。この第７ステップＳ７の判定処理では、ＴＯＣ領域におけるＰＯＩＮＴ＝Ａ１，Ａ２のコントロールフィールドの情報が〔００Ｘ０〕である場合には、装着された光ディスク２がＣＤ−Ｉ／ＣＤ−ＤＡディスクであると判定し、他の場合に、装着された光ディスク２がＣＤ−Ｉディスクであると判定する。
【００４４】
そして、第７ステップＳ７における結果が「ＹＥＳ」、すなわち装着された光ディスク２がＣＤ−Ｉディスクである場合には、第８ステップＳ８に移って、ＣＤ−Ｉディスク装着時の表示制御を行う。具体的には、ＭＣＰＵ６１により、図８に示すように、ＬＣＤ３２の表示領域３２ｃにＣＤ−Ｉディスクの装着を示す表示を行い、装着された光ディスク２がＣＤ−Ｉディスクであることを表示する。
【００４５】
また、この第８ステップＳ８では、発光ダイオード群７７により表示されるポインティングデバイス７４の機能の表示制御がＳＣＰＵ１５によりなされる。具体的には、ポインティングデバイス７４は、ＳＣＰＵ１５により、Ｘ−Ｙデバイス７１がＸ−Ｙ方向の操作キーとして定義されると共に、トリガーボタン７２、７３が実行キーと停止キーとして定義され、図９に示すように、その機能表示パターン７１ａ，７２ａ，７３ａを表示すように発光ダイオード群７７が制御される。
【００４６】
そして、次の第９ステップＳ９では、Ｘ−Ｙデバイス７１、トリガボタン７２、７３の操作を受け付けて、その操作に従って、例えば、ＣＤ−Ｉディスクの再生動作を行い、プログラムを実行する。具体的には、ディスクドライブ部１０で再生されたプログラムは、例えばＲＡＭ６４に転送され、ＭＣＰＵ６１はこの記憶されているプログラムに基づいてプログラムを実行する。この場合、プログラム実行による、例えば自然画やアニメーション等が映像信号処理部２０で生成され、ＬＣＤ３２の画面に表示されると共に、例えば音楽やナレーションが音声信号処理部５０で再生され、ヘッドホーンに出力される。
【００４７】
さらに、この第９ステップＳ９では、ＭＣＰＵ６１は、プログラム実行の結果（データ）をＩＣカード６９に書き込む制御を行う。例えば教育用のプログラムを実行した場合、問題に対する利用者の回答データ、正解率のデータ、あるいはそのプログラムを中断したときは、何処までの問題を終了しているかのデータ等をＩＣカード６９に書き込む。また、例えばゲームのプログラムを実行した場合、ゲームをした人の名前等のデータ、その人達の得点データ、これまでの最高得点データ等をＩＣカード６９に書き込む。そして、これらの記憶されたデータは、例えば、次に同じプログラムを実行する際に、ＭＣＰＵ６１の制御のもとに読み出され、ＬＣＤ３２の画面に表示される。この結果、学習の進捗状況を把握することができたり、次の問題を解く時に非常に便利である。また、前回までの得点が表示され、ゲームの面白さが倍増する。さらに、ＩＣカード６９は、上述のように着脱自在になっており、利用者は、ＩＣカード６９を取り外して、記憶されているデータを例えば個人的に保存することができる。
【００４８】
第７ステップＳ７における結果が「ＮＯ」、すなわち装着された光ディスク２がＣＤ−Ｉ／ＣＤ−ＤＡディスクである場合には、第１０ステップＳ１０に移って、ＣＤ−Ｉ／ＣＤ−ＤＡディスク装着時の表示制御を行う。具体的には、ＭＣＰＵ６１により、図１０に示すように、ＬＣＤ３２の表示領域３２ａにＣＤ−Ｉ／ＣＤ−ＤＡディスクの装着を示す表示を行い、装着された光ディスク２がＣＤ−Ｉ／ＣＤ−ＤＡディスクであることを表示領域３２ｃに表示する。
【００４９】
この第１０ステップＳ１０では、表示領域３２ｂに音楽の再生操作に必要なＰＬＡＹ、ＡＭＳ、ＳＴＯＰ等が表示される。さらに、発光ダイオード群７７によりポインティングデバイス７４の機能表示がなされる。具体的には、上述の図９に示すように、ポインティングデバイス７４は、ＳＣＰＵ１５により、Ｘ−Ｙデバイス７１がＸ−Ｙ方向の操作キーとして定義されると共に、トリガーボタン７２、７３が実行キーと停止キーとして定義され、その機能を表示するように発光ダイオード群７７が制御される。
【００５０】
次の第１１ステップＳ１１では、Ｘ−Ｙデバイス７１、トリガボタン７２、７３の操作による再生操作を受け付ける。さらに、第１２ステップＳ１２では、第１１ステップＳ１１で受け付けた再生操作によるＣＤ−Ｉ／ＣＤ−ＤＡディスクのＣＤ−ＤＡ領域だけを再生するのであるか否かの判定処理を行う。
【００５１】
そして、第１２ステップＳ１２における判定結果が「ＹＥＳ」、すなわちＣＤ−ＤＡ領域だけを再生動作が指定された場合には、第１３ステップＳ１３に移って、Ｘ−Ｙデバイス７１、トリガボタン７２、７３の操作に従って、ＣＤ−ＩディスクのＣＤ−ＤＡ領域のみの再生動作を行う。
【００５２】
また、第１２ステップＳ１２における判定結果が「ＮＯ」、すなわちＣＤ−Ｉ／ＣＤ−ＤＡディスクのプログラムの実行が指定された場合には、第１４ステップＳ１４に移り、プログラムに従ってＸ−Ｙデバイス７１、トリガボタン７２、７３の操作を受付けて、ＣＤ−Ｉ／ＣＤ−ＤＡディスクの再生動作を行い、プログラムを実行する。具体的には、プログラム実行による、例えば自然画やアニメーション等が映像信号処理部２０で生成され、ＬＣＤ３２の画面に表示されると共に、例えば音楽やナレーションが音声信号処理部５０で再生され、ヘッドホーンに出力される。また、このとき、プログラム実行の結果（データ）がＩＣカード６９に記憶される。
【００５３】
以上のように、ＩＣカード６９を具備することにより、必要に応じてデータを保存することができ、ＣＤ−Ｉプレーヤの利便性の向上や応用範囲の拡大を図ることができる。さらに、ＩＣカード６９は、着脱自在になっており、利用者は、ＩＣカード６９を取り外して、記憶されているデータを例えば個人的に保存することができる。
【００５４】
なお、本発明は実施例に限定されるものではなく、ＲＡＭ６４に一時的に記憶するプログラム等をＩＣカード６９に記憶するようにしてもよい。この場合、ＲＡＭ６４が不要になり、コストを軽減することができるばかりではなく、同一プログラムを繰り返し実行する際に、光ディスク２から実行する度にプログラムを再生する必要がなく、高速でプログラムを繰り返し実行することができる。また、ＲＯＭ６３に記憶されているＣＤ−ＲＴＯＳをＩＣカード６９に記憶しておくようにすることにより、ＲＯＭ６３を削除することもできる。
【図面の簡単な説明】
【００５５】
【図１】本発明を適用したＣＤ−Ｉプレーヤの回路構成を示すブロック回路図である。
【図２】ＣＤ−Ｉプレーヤの外蓋を開いた状態の外観斜視図である。
【図３】ＣＤ−Ｉプレーヤの外蓋及び中蓋を開いた状態の外観斜視図である。
【図４】ＣＤ−Ｉプレーヤの動作を示すフローチャートである。
【図５】ＣＤ−Ｉプレーヤに光ディスクを未装着のときの、液晶表示部の表示内容を示す図である。
【図６】ＣＤ−ＩプレーヤにＣＤーＤＡディスクを装着したときの、上記液晶表示部の表示内容を示す図である。
【図７】ＣＤ−ＩプレーヤにＣＤーＤＡディスクを装着したときの、ポインティングデバイスの機能表示状態を示す図である。
【図８】ＣＤ−ＩプレーヤにＣＤーＩディスクを装着したときの、上記液晶表示部の表示内容を示す図である。
【図９】ＣＤ−ＩプレーヤにＣＤ−Ｉディスク又はＣＤーＩ／ＣＤ−ＤＡディスクを装着したときの、上記ポインティングデバイスの機能表示状態を示す図である。
【図１０】ＣＤ−ＩプレーヤにＣＤーＩ／ＣＤーＤＡディスクを装着したときの、上記液晶表示部の表示内容を示す図である。
【符号の説明】
【００５６】
１  ＣＤ−Ｉプレーヤ、  ２  光ディスク、  ３２  ＬＣＤ、  ３２ａ，３２ｂ  表示領域、  ３４  スイッチ、  ６０  制御部、  ６１  ＭＣＰＵ、  ６９  ＩＣカード、  １０１  本体部、  １０３  外蓋、  １０５  ＩＣカード挿脱口  
【図１】
2004326829.tif 000003
【図２】
2004326829.tif 000004
【図３】
2004326829.tif 000005
【図４】
2004326829.tif 000006
【図５】
2004326829.tif 000007
【図６】
2004326829.tif 000008
【図７】
2004326829.tif 000009
【図８】
2004326829.tif 000010
【図９】
2004326829.tif 000011
【図１０】
2004326829.tif 000012